(57)【要約】【課題】スリットを有する弾性変形可能なノズル先端部材をノズルの先端部に設ける場合の、内容物の吐出方向が所望の方向に定まらないという不都合および内容物の吐出の勢いが強くなりすぎるという不都合を解消させたポンプ式注出器を提供することにある。【解決手段】容器体の口頚部に装着されるベースキャップと、該ベースキャップにより前記口頚部を通して前記容器体内部に吊り下げ固定されるポンプと、押し下げおよび上昇により該ポンプのピストンを駆動して前記容器体内部の内容物を吸引、加圧、圧送し、ノズルの先端部に設けられた弾性変形可能なノズル先端部材のスリットを介して該内容物を外界へ排出するノズルヘッドと、を備えるポンプ式注出器において、前記ノズルヘッドに、下方を開放状態として前記スリットの周囲を覆うスリット覆い部材を設けたものである。【選択図】  図１
2014108801.tif 000002
【特許請求の範囲】
【請求項１】
容器体の口頚部に装着されるベースキャップと、
該ベースキャップにより前記口頚部を通して前記容器体内部に吊り下げ固定されるポンプと、
押し下げおよび上昇により該ポンプのピストンを駆動して前記容器体内部の内容物を吸引、加圧、圧送し、ノズルの先端部に設けられた弾性変形可能なノズル先端部材のスリットを介して該内容物を外界へ排出するノズルヘッドと、
を備えるポンプ式注出器において、
前記ノズルヘッドに、下方を開放状態として前記スリットの周囲を覆うスリット覆い部材を設けたことを特徴とするポンプ式注出器。
【請求項２】
前記スリット覆い部材は、前記ノズルの先端部に前記ノズル先端部材を覆うように設けられていることを特徴とする請求項１記載のポンプ式注出器。
【請求項３】
前記スリット覆い部材は、前記ノズルヘッドにそのノズルヘッドを全体的に覆うように設けられていることを特徴とする請求項１記載のポンプ式注出器。
【発明の詳細な説明】
【技術分野】
【０００１】
本発明は、ノズルヘッドの押し下げによりポンプを駆動して容器体内の液体等の内容物を注出するポンプ式の注出器に関し、特にはその注出器のノズルヘッドに関するものである。
【背景技術】
【０００２】
ポンプ式注出器は通常、容器体の口頚部に装着されるベースキャップと、該ベースキャップにより前記口頚部を通して前記容器体内部に吊り下げ固定されるポンプと、押し下げおよび上昇により該ポンプのピストンを駆動して前記容器体内部の内容物を吸引、加圧、圧送し、ノズルの先端部から該内容物を外界へ排出するノズルヘッドと、を備えている。
【０００３】
ところで、一般的なポンプ式注出器のノズルヘッドは、ノズルの先端部が開放状態となっており、ポンプ内部の逆止弁からノズル先端部までの間に残留した内容物は、外気に晒されている。このため、ノズルやポンプ内に残留した内容物については、劣化すなわち、乾燥による固化、外気による酸化、香料の揮発等の成分の蒸発による効能の損失や、液垂れが生ずる可能性がある。
【０００４】
そこで従来、例えば特許文献１に記載されているように、注出器のノズル先端部に設けた蓋を、内容物の注出の際にノズルヘッドの押し下げと連動させて自動的に開ける構成や、特許文献２に記載されているように、注出器のノズル先端部に設けた蓋を、内容物の注出の際に手動で開く構成が提案されているが、前者のノズルヘッドの押し下げと連動させて蓋を開く構成の場合には構造が複雑になるとともにノズルヘッドが大きくなり、後者の手動で蓋を開く構成の場合には開け忘れや閉め忘れが生ずる可能性がある。
【先行技術文献】
【特許文献】
【０００５】
【特許文献１】特開２０１０―１４９９０４号公報
【特許文献２】特開２００５―１５３９８４号公報
【特許文献３】特開２０１０―００６４４７号公報
【０００６】
この一方で従来、例えば特許文献３に記載されているように、ノズルの先端部に弾性変形可能なノズル先端部材を設け、そのノズル先端部材に形成したスリットをノズル先端部材の弾性変形により開口させて内容物を吐出させ、使用後にはノズル先端部材の弾性復元力によりスリットを閉じる注出器のノズルの構成も提案されており、このスリットを有する弾性変形可能なノズル先端部材を用いることで、残留内容物の劣化の防止や液垂れの抑制をすることが考えられる。
【０００７】
しかしながら、上記従来のスリットを有する弾性変形可能なノズル先端部材をノズルヘッドのノズルの先端部に設けるだけでは、スリットの開口面積が狭いため、内容物の吐出方向が所望の方向に定まらないという不都合や、内容物の吐出の勢いが強くなりすぎるという不都合が生ずる可能性がある。
【発明の開示】
【発明が解決しようとする課題】
【０００８】
それゆえ本発明の目的は、ポンプ式注出器における上述の如き不都合を解消することにある。
【課題を解決するための手段】
【０００９】
上記課題を解決する本発明のポンプ式注出器は、容器体の口頚部に装着されるベースキャップと、該ベースキャップにより前記口頚部を通して前記容器体内部に吊り下げ固定されるポンプと、押し下げおよび上昇により該ポンプのピストンを駆動して前記容器体内部の内容物を吸引、加圧、圧送し、ノズルの先端部に設けられた弾性変形可能なノズル先端部材のスリットを介して該内容物を外界へ排出するノズルヘッドと、を備えるポンプ式注出器において、
前記ノズルヘッドに、下方を開放状態として前記スリットの周囲を覆うスリット覆い部材を設けたことを特徴とするものである。
【発明の効果】
【００１０】
本発明のポンプ式注出器にあっては、ノズルヘッドに、下方を開放状態としてスリットの周囲を覆うスリット覆い部材を設けたことから、容器体内の内容物を吐出するためにノズルヘッドを押し下げてポンプを駆動した時に、ノズルの先端部に設けられたノズル先端部材がノズル内の内容物の圧力により、ノズル先端部材のスリットが開口するように弾性変形して、スリットの周囲を覆うスリット覆い部材の内面に向けて該内容物を吐出し、スリット覆い部材がその内面に当てて勢いを弱めた該内容物を、開放状態の下方へ導いて下向きに排出する。
【００１１】
従って、本発明のポンプ式注出器によれば、スリットを有する弾性変形可能なノズル先端部材をノズルヘッドのノズルの先端部に設けたので、長いノズルの場合でも、ノズルやポンプ内に残留した内容物について、劣化すなわち、乾燥による固化、外気による酸化、香料の揮発等の成分の蒸発による効能の損失の防止や、液垂れの抑制をすることができる。しかも、スリット覆い部材が内容物の勢いを弱めてそれを下向きに排出するので、内容物の吐出方向が所望の方向に定まらないという不都合や内容物の吐出の勢いが強くなりすぎるという不都合を解消させて、使用者が内容物を手のひら等で受け易いようにすることができる。
【００１２】
なお、本発明のポンプ式注出器においては、前記スリット覆い部材は、前記ノズルの先端部に前記ノズル先端部材を覆うように設けられていると、ノズルヘッドが殆ど大きくならないので好ましい。
【００１３】
また、本発明のポンプ式注出器においては、前記スリット覆い部材は、前記ノズルヘッドにそのノズルヘッドを全体的に覆うように設けられていると、嵌合構造等によってノズルヘッドに容易に設けることができるので好ましい。
【図面の簡単な説明】
【００１４】
【図１】本発明のポンプ式注出器の一実施例の構成を示す断面図である。
【図２】（ａ）は、上記実施例のポンプ式注出器のＯ部を拡大して示す断面図であり、（ｂ）は、（ａ）中のＯ部を矢印Ｏ方向から見たＯ矢視図である。
【図３】上記実施例のポンプ式注出器をノズルヘッドを押し下げた状態で示す断面図である。
【図４】本発明のポンプ式注出器の他の一実施例の構成を示す断面図である。
【図５】上記実施例のポンプ式注出器のノズルヘッドを拡大して示す正面図である。
【図６】（ａ），（ｂ）は、本発明のポンプ式注出器のノズル先端部材の他の構成例をそれぞれ示す斜視図である。
【発明を実施するための形態】
【００１５】
以下、本発明の実施の形態を、図面に基づく実施例により詳細に説明する。ここに図１は、本発明のポンプ式注出器の一実施例の構成を示す断面図、図２（ａ）は、上記実施例のポンプ式注出器のＯ部を拡大して示す断面図、図２（ｂ）は、図２（ａ）中のＯ部を矢印Ｏ方向から見たＯ矢視図であり、図中、符号１はベースキャップ、２はポンプ、３はノズルヘッドをそれぞれ示す。
【００１６】
ベースキャップ１は、図示しない容器体の口頚部に装着されるもので、中央部に貫通孔が形成された天面板１ａと、天面板１ａの外周端より垂下されて容器の口頚部を囲繞する筒体１ｂと、筒体１ｂの内側に形成され、容器体の口頚部にねじ止めされるねじ部１ｃと、天面板１ａの内周端より立設された起立環状周壁１ｄとを有している。なお、ベースキャップ１は、容器体の口頚部にねじ止の代わりに嵌着されるものでもよい。
【００１７】
ポンプ２は、ベースキャップ１により上記口頚部を通して容器体内部に吊り下げ固定されるもので、ベースキャップ１の天面板１ａに吊下げ支持されるとともに下部に縮径部４ａと底壁４ｂと吸入口４ｃとを持つシリンダ４と、シリンダ４の上端部の内側に固着されるとともに上側の案内筒本体５ａおよび下側の拡径部５ｂを一体に持つ案内筒５と、案内筒本体５ａの内周壁に沿って摺動可能なステム本体６ａおよびそのステム本体６ａの下端部に一体に形成されて案内筒５の拡径部５ａに嵌入する拡径部６ｂを持つ上側中空ステム６と、上側中空ステム６のステム本体６ａの下部に上部を連結されるとともに中間周壁の開口部７ａおよび下端部の外周フランジ７ｂを持つ有底の下側中空ステム７と、シリンダ４の内周壁に沿って摺動可能なピストン８と、シリンダ４の底壁４ｂと下側中空ステム７の外周フランジ７ｂとの間に介挿されて上側中空ステム６および下側中空ステム７を上方へ常時附勢するポンプスプリング９と、シリンダ４の底壁４ｂに設けられた吸込弁１０とを有している。
【００１８】
ここで、シリンダ４は、縮径部４ａから底壁４ｂにかけての内周面にその周方向に間隔を空けて複数配置されて各々上下方向へ延在する縦リブ４ｄを持つ。また、ピストン８は、ピストン上部においてそれぞれ環状となる上部内側壁８ａおよび上部外側壁８ｂと、ピストン下部においてそれぞれ環状となる下部内側壁８ｃおよび下部外側壁８ｄとを一体に持ち、上部内側壁８ａは下側中空ステム７の外周面と案内筒５の下側の拡径部５ｂの内周面とに密に摺接し、上部外側壁８ｂと下部外側壁８ｄとはシリンダ４の内周壁に密に摺接し、下部内側壁８ｃは下側中空ステム７の外周フランジ７ｂの上面の環状凹部に対し分離可能に密に嵌合する。シリンダ４には、図１に示すピストン８の上昇限位置で、上部外側壁８ｂと下部外側壁８ｄとの間に開口する貫通孔４ｅが形成されている。
【００１９】
下側中空ステム７の下端部の外周フランジ７ｂは、外周面にその周方向に間隔を空けて複数配置されて各々上下方向へ延在する縦リブ７ｃを持ち、この縦リブ７ｃを介してシリンダ４の内周壁に摺接する。また、吸込弁１０は、球状の弁体１０ａを持ち、シリンダ４の吸入口４ｃからシリンダ４内への容器体内部の内容物の吸入のみを許容する逆止弁として機能する。そしてポンプスプリング９は、コイルスプリングにより形成されるとともにその上下端部に小径部９ａ，９ｂを持ち、上端側小径部９ａは外周フランジ７ｂの下面の中央凹部に収容され、下端側小径部９ｂは吸込弁１０の上端部内に収容されて弁体１０ａの抜け止め機能を果たす。
【００２０】
ノズルヘッド３は、そのノズルヘッド３の押し下げおよび上昇によりポンプ２のピストン８を駆動して容器体内部の内容物を吸引、加圧、圧送するもので、押圧力を直接付与される操作部３ａと、その操作部３ａと一体連結するとともに上側中空ステム６のステム本体６ａの上端部と密に嵌合する内側筒体３ｂと、その筒体３ｂと一体連結するとともに、上側中空ステム６から送給される内容物を外部に向けて吐出する吐出孔を先端部３ｃに持つノズル３ｄと、操作部３ａの外周端部から垂下されて内側筒体３ｂを囲繞する外側筒体３ｅとを有しており、後述するノズルヘッド３の押し下げ時には、それら内側筒体３ｂと外側筒体３ｅとの間の下向きの環状凹部内に、ベースキャップ１の起立環状周壁１ｄが収容される。
【００２１】
ここで、ノズル３ｄの先端部３ｃには、軟質材料からなる弾性変形可能なノズル先端部材１１が配置され、図２（ａ），（ｂ）に拡大して示すように、このノズル先端部材１１は、円盤状の基部１１ａと、その基部１１ａから楔状に突出する突出部１１ｂとを持ち、その突出部１１ｂの先端には、水平方向へ一文字に延在するスリット１１ｃが貫通形成されている。ノズル３ｄの先端部３ｃにはまた、略Ｌ字状に曲がった通路１２ａを持ち、その通路１２ａの内面でノズル先端部材１１のスリット１１ｃを覆う、スリット覆い部材としての延長ノズル１２が嵌着されており、この延長ノズル１２は、その基部１２ｂとノズル３ｄの先端部３ｃとの間にノズル先端部材１１の基部１１ａを挟持するとともに、ノズル３ｄの外周面にその軸線方向に延在するように形成された溝３ｆと基部１２ｂの内周面に形成された対応する突条１２ｃとの嵌合により周方向に位置決めされて、通路１２ａの先端部を斜め下向きに開口させている。
【００２２】
上記の如く構成した本実施例のポンプ式注出器を使用する場合について説明すると、まず、図１に示す状態から、図３に矢印Ｐで示すように指先等でノズルヘッド３に押圧力を加えてノズルヘッド３を押し下げると、ポンプ２が駆動され、上側中空ステム６と下側中空ステム７とがポンプスプリング９を圧縮しながら一体で下降し、その下降の間に先ず、上側中空ステム６の拡径部６ｂの下端がピストン８の上部内側壁８ａの基部に当接するとともに、ピストン８の下部内側壁８ｃが下側中空ステム７の外周フランジ７ｂの上面の環状凹部から外れ出てそれらの間に隙間が空き、その後、上側中空ステム６と下側中空ステム７とがピストン８を一緒に下降させる。
【００２３】
これにより、先に容器体内部からシリンダ４内に吸引されていた内容物が、吸込弁１０により容器体内部への戻りを阻止されて加圧され、図３中に矢印で示すように、下側中空ステム７の下端部の外周フランジ７ｂとシリンダ４の内周壁との隙間で縦リブ７ｃの間を通ってピストン８の下側まで押し出され、そこからさらに下側中空ステム７の中間周壁の開口部７ａを通って下側中空ステム７内に入り、上側中空ステム６内を通ってノズルヘッド３のノズル３ｄ内に圧送される。このとき、ピストン８はシリンダ４の貫通孔４ｅから下方に外れているので、容器体内部と外部とがその貫通孔４ｅを介して連通して、容器体内部にそこからの内容物の注出分に応じた外気が導入される。
【００２４】
ノズルヘッド３のノズル３ｄ内に圧送された内容物は、ノズル３ｄの先端部３ｃからノズル先端部材１１の突出部１１ｂ内に入り、その突出部１１ｂを内側から加圧して弾性変形させてスリット１１ｃを開口させ、そのスリット１１ｃの開口から延長ノズル１２の通路１２ａの内面に向けて吐出されて、通路１２ａのＬ字状に曲がった部分に当接する。延長ノズル１２は、その通路１２ａの内面に当って勢いが弱まった内容物を、通路１２ａの斜め下向きに開口した先端部へ導いて、斜め下向きに排出する。
【００２５】
その後、ノズルヘッド３の押圧力を解除してポンプスプリング９の弾性復元力によりノズルヘッド３と一緒に上側中空ステム６と下側中空ステム７とを上昇させると、その上昇の間に先ず、上側中空ステム６の拡径部６ｂの下端がピストン８の上部内側壁８ａの基部から離間するとともに、ピストン８の下部内側壁８ｃが下側中空ステム７の外周フランジ７ｂの上面の環状凹部に嵌合してそれらの間の隙間が閉じ、その後、上側中空ステム６と下側中空ステム７とがピストン８を一緒に上昇させる。これにより、シリンダ４内の圧力が下がり、容器体内部の内容物が吸入口４ｃから吸込弁１０を通ってシリンダ４内に吸引される。また、ノズル先端部材１１の突出部１１ｂの弾性復元力によりスリット１１ｃが閉じ、さらにシリンダ４の貫通孔４ｅがピストン８上部外側壁８ｂと下部外側壁８ｄとの間に位置してピストン８により閉止される。
【００２６】
従って、本実施例のポンプ式注出器によれば、弾性変形可能なノズル先端部材１１をノズルヘッド３のノズル３ｄの先端部３ｃに設け、そのノズル先端部材１１の突出部１１ｂに形成したスリット１１ｃを突出部１１ｂの弾性変形により開口させて内容物を吐出させ、使用後には突出部１１ｂの弾性復元力によりスリット１１ｃを閉じるようにしたので、長いノズル３ｄの場合でも、ノズル３ｄやポンプ２内に残留した内容物について、劣化すなわち、乾燥による固化、外気による酸化、香料の揮発等の成分の蒸発による効能の損失の防止や、液垂れの抑制をすることができる。しかも、延長ノズル１２が内容物の勢いを弱めてそれを下向きに排出するので、内容物の吐出方向が所望の方向に定まらないという不都合や内容物の吐出の勢いが強くなりすぎるという不都合を解消させて、使用者が内容物を手のひら等で受け易いようにすることができる。
【００２７】
さらに、本実施例のポンプ式注出器によれば、延長ノズル１２が、ノズル３ｄの先端部３ｃにノズル先端部材１１を覆うように設けられているので、ノズルヘッド３が殆ど大きくならず、ノズルヘッド３のデザインを良好に維持することができる。
【００２８】
図４は、本発明のポンプ式注出器の他の一実施例の構成を示す断面図、また図５は、その実施例のポンプ式注出器のノズルヘッドを拡大して示す正面図である。この実施例のポンプ式注出器は、先の実施例における延長ノズル１２に代えて、ノズル先端部材１１をノズル３ｄの先端部３ｃとの間に挟持して固定する筒状のノズルキャップ１３が設けられるとともに、下方を開放状態としてスリット１１ｃの周囲を覆うスリット覆い部材として、ノズルヘッド３を全体的に覆うノズルヘッドカバー１４が設けられている点でのみ、先に実施例と異なっており、他の点では先の実施例と同様に構成されている。
【００２９】
ここで、ノズルヘッドカバー１４は、ノズル３ｄとノズル先端部材１１とノズルキャップ１３とを収容するとともに、ノズル先端部材１１の突出部１１ｂのスリット１１ｃに対向する傾斜した端壁を持つ下向きの溝部１４ａと、その溝部１４ａに連通してこのノズルヘッドカバー１４内へのノズル３ｄの収容を可能にする下向きの切欠き１４ｂと、外側筒体３ｅの下端部の周方向に離間する複数箇所から内方へ突出し、外側筒体３ｅの下端部に掛合してノズルヘッドカバー１４をノズルヘッド３に嵌着する複数の突起１４ｃとを有している。
【００３０】
本実施例のポンプ式注出器も先の実施例と同様、弾性変形可能なノズル先端部材１１をノズルヘッド３のノズル３ｄの先端部３ｃに設け、そのノズル先端部材１１の突出部１１ｂに形成したスリット１１ｃを突出部１１ｂの弾性変形により開口させて内容物を吐出させ、使用後には突出部１１ｂの弾性復元力によりスリット１１ｃを閉じるようにしたので、長いノズル３ｄの場合でも、ノズル３ｄやポンプ２内に残留した内容物について、劣化すなわち、乾燥による固化、外気による酸化、香料の揮発等の成分の蒸発による効能の損失の防止や、液垂れの抑制をすることができる。しかも、ノズルヘッドカバー１４が、スリット１１ｃから吐出された内容物を下向きの溝部１４ａの端壁に当接させ、内容物の勢いを弱めてそれを下向きに排出するので、内容物の吐出方向が所望の方向に定まらないという不都合や内容物の吐出の勢いが強くなりすぎるという不都合を解消させて、使用者が内容物を手のひらで受け易いようにすることができる。
【００３１】
さらに、本実施例のポンプ式注出器によれば、ノズルヘッドカバー１４が、ノズルヘッド３にそのノズルヘッド３を全体的に覆うように設けられているので、突起１４ｃを用いた上述の如き嵌合構造によってノズルヘッド３に容易に設けることができる。
【００３２】
図６（ａ），（ｂ）は、本発明のポンプ式注出器のノズル先端部材の他の構成例をそれぞれ示す斜視図であり、上記実施例における楔状の突出部１１ｂを持つノズル先端部材１１に代えて、例えば図６（ａ）に示す、内側に凹んだ先端部にスリット１１ｃが形成された裁頭円錐状の突出部１１ｂを持つノズル先端部材１１や、図６（ｂ）に示す、半球状に突出した先端部にスリット１１ｃが形成された略円錐状の突出部１１ｂを持つノズル先端部材１１を用いても良い。
【００３３】
以上、図示例に基づき説明したが、本発明のポンプ式注出器は、上述した実施例のものに限定されず、例えば蓄圧式の液体噴出ポンプや、ノズルヘッドの押し下げにより容器体内の内容物を泡状にして吐出するディスペンサ等、所要に応じて種々変更できるものであり、また、ノズル先端部材のスリットの形状も、一文字状でなくＹ字状や十字状等の他の形状としてもよい。
【産業上の利用可能性】
【００３４】
かくして本発明のポンプ式注出器によれば、スリットを有する弾性変形可能なノズル先端部材をノズルヘッドのノズルの先端部に設けたので、長いノズルの場合でも、ノズルやポンプ内に残留した内容物について、劣化すなわち、乾燥による固化、外気による酸化、香料の揮発等の成分の蒸発による効能の損失の防止や、液垂れの抑制をすることができる。しかも、スリット覆い部材が内容物の勢いを弱めてそれを下向きに排出するので、内容物の吐出方向が所望の方向に定まらないという不都合や内容物の吐出の勢いが強くなりすぎるという不都合を解消させて、使用者が内容物を手のひら等で受け易いようにすることができる。
【符号の説明】
【００３５】
１  ベースキャップ
１ａ  天面板
１ｂ  筒体
１ｃ  ねじ部
１ｄ  起立環状周壁
２  ポンプ
３  ノズルヘッド
３ａ  操作部
３ｂ  内側筒体
３ｃ  先端部
３ｄ  ノズル
３ｅ  外側筒体
３ｆ  溝
４  シリンダ
４ａ  縮径部
４ｂ  底壁
４ｃ  吸入口
４ｄ  縦リブ
４ｅ  貫通孔
５  案内筒
５ａ  案内筒本体
５ｂ  拡径部
６  上側中空ステム
６ａ  ステム本体
６ｂ  拡径部
７  下側中空ステム
７ａ  開口部
７ｂ  外周フランジ
７ｃ  縦リブ
８  ピストン
８ａ  上部内側壁
８ｂ  上部外側壁
８ｃ  下部内側壁
８ｄ  下部外側壁
９  ポンプスプリング
９ａ，９ｂ  小径部
１０  吸込弁
１０ａ  弁体
１１  ノズル先端部材
１１ａ  基部
１１ｂ  突出部
１１ｃ  スリット
１２  延長ノズル
１２ａ  通路
１２ｂ  基部
１２ｃ  突条
１３  ノズルキャップ
１４  ノズルヘッドカバー
１４ａ  溝部
１４ｂ  切欠き
１４ｃ  突起
【図１】
2014108801.tif 000003
【図２】
2014108801.tif 000004
【図３】
2014108801.tif 000005
【図４】
2014108801.tif 000006
【図５】
2014108801.tif 000007
【図６】
2014108801.tif 000008